(57)【要約】【課題】屋外に設置される光情報コンセントは、ハウジングに設けた扉を開けて使用するときに開いた口から雨や埃などがハウジングの内部に入り込み、コネクタ接続される光ファイバの端面の汚れ、傷つきなどが生じ易かったので、この問題を解決する。【解決手段】ハウジング４に設ける主扉６を、上向きに回転して開く構造にし、開いた主扉６を庇として機能させて雨水などの侵入を防ぐようにした。主扉６の両横に覆い部６ａを設けたもの、光ケーブルを引き出すための小扉７を併設して小扉側の口から光ケーブルを引き出した状態で主扉６を閉じられるようにしたものが特に好ましい。【選択図】  図１
2004246244.tif 000002
【特許請求の範囲】
【請求項１】
収納機器を覆って保護するハウジングに主扉を設け、その主扉を開けて外部の光コネクタを内部の光コネクタに接続する光情報コンセントにおいて、前記主扉を上向きに回転して開く構造にし、開いた主扉を雨よけ用の庇として機能させるようにしたことを特徴とする光情報コンセント。
【請求項２】
主扉の両横に、主扉の開閉に伴ってハウジングから出没する覆い部を設けた請求項１に記載の光情報コンセント。
【請求項３】
収納機器を覆って保護するハウジングに主扉を設け、その主扉を開けて外部の光コネクタを内部の光コネクタ接続する光情報コンセントにおいて、前記主扉を横向きに回転して開く構造にし、この主扉の上縁部に主扉の開閉に伴ってハウジングから出没する覆い部を連接し、主扉が開いたときに前記覆い部を雨よけ用の庇として機能させるようにしたことを特徴とする光情報コンセント。
【請求項４】
前記覆い部に、主扉の開き状態を保持する手段を設けた請求項２または３に記載の光情報コンセント。
【請求項５】
主扉とは別の小扉をハウジングに設け、この小扉で開閉する口を主扉で開閉する口に連ならせ、小扉側の口から光ケーブルを引き出した状態で主扉を閉じられるようにした請求項１乃至４のいずれかに記載の光情報コンセント。
【請求項６】
主扉の縁に沿った位置の一部に小扉を設け、その小扉で開閉する口から光ケーブルを引き出した状態で主扉を閉じられるようにした請求項１乃至４のいずれかに記載の光情報コンセント。
【請求項７】
前記小扉を内開き方式の扉にし、この小扉の外周部が閉じた主扉とハウジングに設けた扉受けとの間に挟み込まれるようにした請求項６に記載の光情報コンセント。
【発明の詳細な説明】
【０００１】
【発明の属する技術分野】
この発明は、防災ネットワーク等の光通信網に利用される光情報コンセントに関する。
【０００２】
【従来の技術】
光情報コンセントの従来技術としては、例えば、下記の特許文献に示されるものなどがある。
【０００３】
【特許文献１】
特開平１０−２６０３１７号公報
【特許文献２】
特開平１１−１２５７２１号公報
【特許文献３】
特開平１１−０６４６５０号公報
【特許文献４】
特開２０００−１３１５８２号公報
【特許文献５】
特開２００１−０９１７５６号公報
【０００４】
この光情報コンセントは、河川、道路等を管理するための光ファイバを用いたネットワークの一部として、常時は使用されないが、異常発生時あるいは必要に応じて、現場に通信機器を設置してネットワークの一部として情報を管理所に送信するための現地側に設置される装置、およびそこで使用するための現地可搬装置、可搬装置からの情報を管理所で目視できるように変換するために管理所に設置される機器の総称である。
【０００５】
この光情報コンセントには、モニュメント型、壁掛け型、昇降型、埋設型など、各種方式がある。
【０００６】
この装置は、当初アナログ方式が開発され、その後、インターネットに代表されるＴＣＰ／ＩＰプロトコルによる通信が普及した結果、ＰＣ（パーソナルコンピュータ）との親和性が高く、直接現地と情報を遣り取りできるディジタル方式が開発され、現在その基盤が整備されつつある。
【０００７】
この発明が改善の対象とするのは、現地に設置する可搬式の機器を接続するための現地設備であり、風雨にさらされる屋外での使用を前提にしたものである。
【０００８】
【発明が解決しようとする課題】
屋外使用型の光情報コンセントは、その保護といたずら防止のためにハウジング（有底筒状のポールや箱等）で全体を覆っており、実際に使用するときには、ハウジングに設けた扉を開けて可搬型機器の光ケーブルをコンセント内の光ケーブルにコネクタ接続するようになっている。
【０００９】
従来の屋外使用型光情報コンセントは、使用時に、扉を開けた口から雨水や砂塵がハウジングの内部に入り込む構造になっており、侵入した雨水や砂塵により内部でコネクタ接続される光ファイバの端面が汚れたり傷付いたりする可能性があった。
【００１０】
光情報コンセントは、必要時にしか使用されないため、小型で設置場所を取らない構造が好ましく、従って雨除けなどの構造を大がかりにできないと言う制約があり、また、同様な理由から、扉部から光コネクタまでの距離が短く、さらに、コネクタの嵌合部を操作性を考えて上向きまたは横向きにしていることから雨水がかかりやすく、埃も付着し易い状況になっており、光コネクタの保護に関して改善すべき点が残されていた。
【００１１】
この発明は、かかる問題を解決して悪条件下でも内部の光コネクタ等に悪影響を及ぼさずに光情報コンセントを使用できるようにすることを課題としている。
【００１２】
【課題を解決するための手段】
上記の課題を解決するため、この発明においては、収納機器を覆って保護するハウジングに扉（この発明ではこれを主扉と称す）を設け、その主扉を開けて外部の光コネクタを内部の光コネクタに接続する光情報コンセントにおいて、前記主扉を上向きに回転して開く構造にし、開いた主扉を雨よけ用の庇として機能させるようにしたのである。
【００１３】
この光情報コンセントは、主扉の両横に、主扉の開閉に伴ってハウジングから出没する覆い部を設けるとより好ましいものになる。
【００１４】
主扉を横向きに回転して開く構造にし、この主扉の上縁部に主扉の開閉に伴ってハウジングから出没する覆い部を連接し、主扉が開いたときに前記覆い部を雨よけ用の庇として機能させるようにしても発明の目的は達成される。
【００１５】
いずれの光情報コンセントも、前記覆い部などに、主扉の開き状態を保つ手段を設けておくことができる。その主扉の開き状態保持手段としては、主扉で開閉する口の縁枠に係止するラッチや縁枠に弾性的に押圧されて摩擦力で主扉を保持する突起などが考えられる。
【００１６】
光コネクタの接続時に開ける主扉とは別の小扉をハウジングに設け、この小扉で開閉する口を主扉で開閉する口に連ならせ、小扉側の口から光ケーブルを引き出した状態で主扉を閉じられるようにしたり、主扉の縁に沿った位置の一部に小扉を設け、その小扉で開閉する口から光ケーブルを引き出した状態で主扉を閉じられるようにしたものが特に好ましい。
【００１７】
また、主扉に設ける小扉を内開き構造してこの小扉の外周部が閉じた主扉とハウジングに設ける扉受けとの間に挟み込まれるようにしておくのも好ましい。
【００１８】
【作用】
この発明の光情報コンセントは、主扉が上向きに回転して開く構造にしたので、開いた主扉が庇の役割を果たし、ハウジング内部への雨水の侵入が起こり難くなる。
【００１９】
横向きに回転して開く主扉の上縁部に覆い部を連接したものも、覆い部が庇の役割を果たし、雨水の侵入が抑制される。
【００２０】
なお、上向きに回転して開く主扉の両横に覆い部（側壁）を設けたものは、横なぐりの雨も侵入しにくくなる。
【００２１】
また、主扉を開いた位置に保持する手段を設けたものは、主扉が自重や風圧で閉まることがなく、光コネクタの接続作業がし易い。
【００２２】
さらに、小扉を設けて、小扉側の口から光ケーブルを引き出した状態で主扉を閉じられるようにしたものは、風雨が強くても雨、風の侵入を阻止でき、内部機器の保護の信頼性がより高まる。
【００２３】
このほか、主扉に設ける小扉を内開き構造にして閉じた主扉とハウジングに設けた扉受けとの間に挟み込まれるようにしたものは、小扉用の鍵等を設けなくても小扉の閉鎖状態を保つことができる。
【００２４】
【発明の実施の形態】
この発明の光情報コンセントの実施形態を図１乃至図６に基づいて説明する。
【００２５】
図１は、モニュメント型光情報コンセントにこの発明を適用したもの、また、図２はボックス型の光情報コンセントにこの発明を適用したものである。
【００２６】
図１の光情報コンセント１は、ベース金具３上に上部閉鎖の円筒状ハウジング４を取り付けており、そのハウジング４で囲って保護した支柱（図示せず）にベース金具に設けた導入口から内部に引き込まれる光ケーブルやその光ケーブルに装着する光コネクタが取り付けられる。
【００２７】
また、図２の光情報コンセント２は、箱型のハウジング５内に支線系の光ケーブルを引き込んでその光ケーブルに光コネクタを取り付け、この光コネクタをハウジング５内のコンセント保持部に納めて保護するものになっている。
【００２８】
この図１、図２の光情報コンセントのハウジング４、５には、主扉６と小扉７を設けている。どちらのコンセントも主扉６は、上部に回転支点を設けてそこを中心にして扉を上向きに回転させて開く構造にしており、この主扉６を開けて可搬機器側の光コネクタを内部の光コネクタに接続することができ、また、開いた主扉６を雨除け用の庇として使用することができる。
【００２９】
図３、図４に主扉６の詳細を示す。箱型のハウジングに設ける主扉６は、図４に示すように、上部の両横に水平なヒンジピン８ａを設け、このヒンジピン８ａをハウジング側に設ける軸受（図示せず）に嵌めて回転支点となすことができる。
【００３０】
これに対し、円筒状ハウジングに設ける図３の主扉６は、上部両横にヒンジピンを設けるとハウジング側に設ける軸受がハウジングの外部に出っ張り、体裁が悪くなるだけでなく、扉の回転支点になるヒンジが外部に出て簡単に壊せるものになってしまうので、その問題を生じないものとして、図５に示すようなヒンジ、即ち、主扉６の裏側にハウジングの内部に入り込むサポート部８ｂを設けてこのサポート部８ｂに図５（ａ）に示す軸受８ｃや相手側の図５（ｂ）に示すヒンジピン８ａを設けたヒンジを採用するのがよい。
【００３１】
図３、図４の主扉６は、いずれもフード状に構成されており、両横に扉の開閉に伴ってハウジングから出没する覆い部６ａ（側壁）を有する。この覆い部６ａがあると、横からの雨風の侵入も阻止され、風雨が強いときにもそれを気にせずにコンセントを使用することができる。
【００３２】
図３、図４の９は、覆い部６ａの外面に設けた突起である。覆い部６ａに、バネ効果をもたせ、主扉６が開いている位置で突起９が覆い部の弾性復元力で開口部の縁枠に圧接するようにしておくと、縁枠との間に生じる摩擦力で主扉６の開き状態を保つことができ、主扉を開いて行う光コネクタの接続作業がし易くなる。
【００３３】
主扉６の開き状態の保持は、摩擦力を利用するものが簡素で好ましいが、扉を適当な位置まで開けたときに爪が飛び出して縁枠の前面や縁枠内面の凹部等に係止するラッチや開いた扉を受け支えるつっかい棒などを設けて行うこともできる。つっかい棒は、着け外しの手間を要するが、覆い部６ａを折り畳んで収納できる可撓性シートやジャバラなどで形成する場合には前述の突起やラッチによる開位置保持ができないので有効なものとなる。
【００３４】
主扉６は、鍵を付けて勝手に開けられないようにしておく。この主扉６は、その幅Ｗ１を図６に示すように両横の覆い部間の寸法Ｗよりも大きくして閉扉時に両側部をハウジング４（５）に設けた扉受け４ａ（５ａ）に付き当てる構造にしておくと、コンセントを使用しないときの雨水、埃の吹き込みに対する防護性能がより高まる。
【００３５】
主扉６の下縁に沿った部分に設けた小扉７は、内開きの扉にしている。この小扉７は、主扉６を開けたときに図３、図４に示すように自重で垂れて自然に開くものでよい。この小扉７を設けると、コネクタ接続を行った可搬機器側の光ケーブルを小扉で開閉する口からハウジングの外部に引き出し、この状態で主扉６を閉じて入口を極力狭め、雨や埃の侵入防止効果を大きく高めることが可能になる。
【００３６】
小扉７を外開き式にすると閉鎖状態を保つために専用の鍵などが必要になるが、図７に示すように、内開き式の小扉７であれば外周部を閉じた主扉６とハウジング４（５）に設けた扉受け４ａ（５ａ）との間に挟んで閉鎖状態を維持することができ、構造の簡素化と、コスト低減が図れる。
【００３７】
なお、小扉７は、ハウジングに設けることもできる。
【００３８】
また、図８に示すように、少なくとも上縁部に覆い部６ａを設けた主扉６を、横開きにして開扉時に上側の覆い部６ａを庇として機能させるようにしても雨水の侵入を抑制することができる。この構造は、特定方向からの風による吹き込みに対して弱いが、扉の構造は簡単であるため、製作は容易であり、使用時に使用者が注意して風上側に立つ等すれば、使用することはできる。
【００３９】
【発明の効果】
以上述べたように、この発明の光情報コンセントは、主扉を開けたときに、その主扉が庇となって雨水や埃などの侵入が抑制されるようにしたので、雨天などの悪条件下で使用しても光コネクタの光ファイバ端面を汚したり、傷付けたりすることが少なく、安心して使用することが可能になる。
【００４０】
両横に覆い部を有するフード状の主扉を採用したものは横なぐりの雨も侵入しにくく、また、光ケーブルを引き出す小扉を設けてコンセント使用時に主扉を閉められるようにしたものは、風雨が強くても雨、風の侵入を阻止でき、内部機器の保護の信頼性がより高まる。
【００４１】
このほか、主扉の開位置保持手段を設けたものは、主扉が自重や風圧で閉まることがなく、光コネクタの接続作業がし易い。
【００４２】
また、主扉に設ける小扉を内開き構造にして閉じた主扉とハウジングに設けた扉受けとの間に挟み込まれるようにしたものは、小扉用の鍵等を設けなくても小扉の閉鎖状態を保つことができ、構造の簡素化やコスト低減が図れる。
【図面の簡単な説明】
【図１】（ａ）  この発明の光情報コンセントの実施形態を示す斜視図
（ｂ）  同上のコンセントの主扉を開いた状態を示す斜視図
【図２】（ａ）  この発明の光情報コンセントの他の実施形態を示す斜視図
（ｂ）  同上のコンセントの主扉を開いた状態を示す斜視図
【図３】（ａ）  図１の光情報コンセントに設けた主扉を示す斜視図
（ｂ）  同上の主扉の開放状態を示す斜視図
【図４】（ａ）  図２の光情報コンセントに設けた主扉を示す斜視図
（ｂ）  同上の主扉の開放状態を示す斜視図
【図５】（ａ）  図１の主扉に設けるヒンジの一例を示す斜視図
（ｂ）  ヒンジの他の例を示す斜視図
【図６】図１、図２の主扉のより好ましい例を示す横断断面図
【図７】（ａ）  小扉の取り付け構造の一例を示す縦断断面図
（ｂ）  図７（ａ）のＡ−Ａ線に沿った断面図
【図８】主扉をフード状にして横開き構造にする例を示す斜視図
【符号の説明】
１            モニュメント型光情報コンセント
２            ボックス型光情報コンセント
３            ベース金具
４、５        ハウジング
４ａ、５ａ    扉受け
６            主扉
６ａ          覆い部
７            小扉
８ａ          ヒンジピン
８ｂ          サポート部
８ｃ          軸受
９            突起
【図１】
2004246244.tif 000003
【図２】
2004246244.tif 000004
【図３】
2004246244.tif 000005
【図４】
2004246244.tif 000006
【図５】
2004246244.tif 000007
【図６】
2004246244.tif 000008
【図７】
2004246244.tif 000009
【図８】
2004246244.tif 000010